(57)【要約】【課題】ログ情報を送信するための専用の通信経路を別途設けることなく、ログ情報を取得することが可能な電子機器を提供する。【解決手段】このテレビジョン装置１００（電子機器）は、外部装置を接続可能に構成され、接続された外部装置とＵＳＢ通信方式に基づいて通信を行うためのＵＳＢコネクタ部１１と、ＵＳＢコネクタ部１１に接続された外部装置に電源を供給するための電源出力線５０ｆとを備え、テレビジョン装置１００の動作記録を含むログ情報を取得するためのアダプタ装置２００が外部装置としてＵＳＢコネクタ部１１に接続された場合に、電源出力線５０ｆを介してログ情報をＵＡＲＴ通信方式に基づいてアダプタ装置２００側に送信するように構成されている。【選択図】図３
2012230590.tif 000002
【特許請求の範囲】
【請求項１】
外部装置を接続可能に構成され、接続された前記外部装置と第１の通信方式に基づいて通信を行うためのコネクタ部と、
前記コネクタ部に接続された前記外部装置に電源を供給するための電源供給ラインとを備え、
電子機器の動作記録を含むログ情報を取得するためのアダプタ装置が前記外部装置として前記コネクタ部に接続された場合に、前記電源供給ラインを介して前記ログ情報を前記第１の通信方式とは異なる第２の通信方式に基づいて前記アダプタ装置側に送信するように構成されている、電子機器。
【請求項２】
前記アダプタ装置が前記コネクタ部に接続された場合に、前記電源供給ラインを介して前記アダプタ装置に電源を供給するのを停止した後で、前記電源供給ラインを介して前記ログ情報を前記第２の通信方式に基づいて前記アダプタ装置側に送信するように構成されている、請求項１に記載の電子機器。
【請求項３】
前記アダプタ装置が前記コネクタ部に接続された場合に、前記電源供給ラインを介して前記アダプタ装置に電源を供給するのを停止するための第１スイッチ回路部と、
前記第１スイッチ回路部により前記電源供給ラインを介して前記アダプタ装置に電源を供給するのが停止された場合に、前記電源供給ラインを介して前記ログ情報を前記第２の通信方式に基づいて前記アダプタ装置側に送信するための第２スイッチ回路部とをさらに備える、請求項２に記載の電子機器。
【請求項４】
前記電源供給ラインは、前記アダプタ装置側に送信される前記ログ情報の逆流を抑制するためのダイオードを含む、請求項１〜３のいずれか１項に記載の電子機器。
【請求項５】
前記アダプタ装置が前記コネクタ部に接続され、かつ、ユーザにより前記アダプタ装置に対して所定の操作が行われた場合に、前記電源供給ラインを介して前記ログ情報を前記第２の通信方式に基づいて前記アダプタ装置側に送信するように構成されている、請求項１〜４のいずれか１項に記載の電子機器。
【請求項６】
前記第１の通信方式は、ＵＳＢ通信方式であるとともに、前記第２の通信方式は、ＵＡＲＴ通信方式である、請求項１〜５のいずれか１項に記載の電子機器。
【請求項７】
テレビジョン放送を表示可能な表示部と、
外部装置を接続可能に構成され、接続された前記外部装置と第１の通信方式に基づいて通信を行うためのコネクタ部と、
前記コネクタ部に接続された前記外部装置に電源を供給するための電源供給ラインとを備え、
テレビジョン装置の動作記録を含むログ情報を取得するためのアダプタ装置が前記外部装置として前記コネクタ部に接続された場合に、前記電源供給ラインを介して前記ログ情報を前記第１の通信方式とは異なる第２の通信方式に基づいて前記アダプタ装置側に送信するように構成されている、テレビジョン装置。
【請求項８】
外部装置を接続可能に構成され、接続された前記外部装置と第１の通信方式に基づいて通信を行うためのコネクタ部と、前記コネクタ部に接続された前記外部装置に電源を供給するための電源供給ラインとを含む電子機器と、
前記電子機器の動作記録を含むログ情報を取得するためのアダプタ装置とを備え、
前記電子機器は、前記アダプタ装置が前記外部装置として前記コネクタ部に接続された場合に、前記電源供給ラインを介して前記ログ情報を前記第１の通信方式とは異なる第２の通信方式に基づいて前記アダプタ装置側に送信するように構成されている、電子機器のログ情報取得システム。
【請求項９】
前記電子機器は、前記アダプタ装置が前記コネクタ部に接続され、かつ、前記電源供給ラインが短絡された場合に、前記電源供給ラインを介して前記ログ情報を前記第１の通信方式とは異なる第２の通信方式に基づいて前記アダプタ装置側に送信するように構成されており、
前記アダプタ装置は、前記電子機器の前記電源供給ラインを短絡させるためのスイッチ部を含む、請求項８に記載の電子機器のログ情報取得システム。
【発明の詳細な説明】
【技術分野】
【０００１】
この発明は、電子機器、テレビジョン装置および電子機器のログ情報取得システムに関し、特に、外部装置を接続可能に構成され、接続された外部装置と通信を行うためのコネクタ部を備える電子機器、テレビジョン装置および電子機器のログ情報取得システムに関する。
【背景技術】
【０００２】
従来、外部装置を接続可能に構成され、接続された外部装置と通信を行うためのコネクタ部を備える電子機器が知られている（たとえば、特許文献１参照）。
【０００３】
上記特許文献１には、外部装置を接続可能に構成され、接続された外部装置とＵＳＢ（Ｕｎｉｖｅｒｓａｌ  Ｓｅｒｉａｌ  Ｂｕｓ）通信方式（第１の通信方式）に基づいて通信を行うためのＵＳＢ接続部（コネクタ部）を備えるオーディオ装置（電子機器）が開示されている。このオーディオ装置では、ＵＳＢ通信方式に基づく通信に使用するためのＵＳＢ信号ラインと、ＵＡＲＴ（Ｕｎｉｖｅｒｓａｌ  Ａｓｙｎｃｈｒｏｎｏｕｓ  Ｒｅｃｅｅｉｖｅｒ  Ｔｒａｎｓｍｉｔｔｅｒ）通信方式（第２の通信方式）に基づく通信に使用するための専用のシリアル信号ラインとが設けられている。また、このオーディオ装置では、ＵＳＢ接続部に接続された外部装置と通信を行う際に使用する通信経路（ＵＳＢ信号ラインおよびシリアル信号ライン）を必要に応じて切り替えるためのマルチプレクサが設けられている。これにより、ＵＳＢ信号ラインを使用してＵＳＢ通信方式に基づいて通信を行うことが必要な場合、および、シリアル信号ラインを使用してＵＡＲＴ通信方式に基づいて通信を行うことが必要な場合のいずれの場合においても、ＵＳＢ接続部を介して外部装置と通信を行うことができる。ここで、シリアル信号ラインを使用してＵＡＲＴ通信方式に基づいて通信を行うことが必要な場合として、たとえばオーディオ装置の動作記録などを含むログ情報を取得するためのアダプタ装置を外部装置としてＵＳＢコネクタ部に接続することにより、オーディオ装置のログ情報を取得する場合などが考えられる。
【先行技術文献】
【特許文献】
【０００４】
【特許文献１】特開２００７−２４１９９４号公報
【発明の概要】
【発明が解決しようとする課題】
【０００５】
しかしながら、上記特許文献１に開示されたオーディオ装置（電子機器）では、オーディオ装置のログ情報を取得する場合に、ＵＡＲＴ通信方式に基づく通信に使用するための専用のシリアル信号ライン（ログ情報を送信するための専用の通信経路）を別途設けることが必要になるという問題点がある。
【０００６】
この発明は、上記のような課題を解決するためになされたものであり、この発明の１つの目的は、ログ情報を送信するための専用の通信経路を別途設けることなく、ログ情報を取得することが可能な電子機器、テレビジョン装置および電子機器のログ情報取得システムを提供することである。
【課題を解決するための手段および発明の効果】
【０００７】
この発明の第１の局面による電子機器は、外部装置を接続可能に構成され、接続された外部装置と第１の通信方式に基づいて通信を行うためのコネクタ部と、コネクタ部に接続された外部装置に電源を供給するための電源供給ラインとを備え、電子機器の動作記録を含むログ情報を取得するためのアダプタ装置が外部装置としてコネクタ部に接続された場合に、電源供給ラインを介してログ情報を第１の通信方式とは異なる第２の通信方式に基づいてアダプタ装置側に送信するように構成されている。
【０００８】
この発明の第１の局面による電子機器では、上記のように、電子機器のログ情報を取得するためのアダプタ装置が外部装置としてコネクタ部に接続された場合に、電源供給ラインを介してログ情報を第１の通信方式とは異なる第２の通信方式に基づいてアダプタ装置側に送信するように構成する。これにより、ログ情報を送信するための専用の通信経路を別途設けることなく、電源供給ラインを介してログ情報を取得することができる。
【０００９】
上記第１の局面による電子機器において、好ましくは、アダプタ装置がコネクタ部に接続された場合に、電源供給ラインを介してアダプタ装置に電源を供給するのを停止した後で、電源供給ラインを介してログ情報を第２の通信方式に基づいてアダプタ装置側に送信するように構成されている。このように構成すれば、電源の供給が停止された後の電源供給ラインを介してログ情報を送信することができるので、電源供給ライン上において電源とログ情報とが競合するのを抑制することができる。
【００１０】
この場合、好ましくは、アダプタ装置がコネクタ部に接続された場合に、電源供給ラインを介してアダプタ装置に電源を供給するのを停止するための第１スイッチ回路部と、第１スイッチ回路部により電源供給ラインを介してアダプタ装置に電源を供給するのが停止された場合に、電源供給ラインを介してログ情報を第２の通信方式に基づいてアダプタ装置側に送信するための第２スイッチ回路部とをさらに備える。このように構成すれば、第１スイッチ回路部と第２スイッチ回路部とにより、容易に、電源供給ラインを介してアダプタ装置に電源を供給するのを停止した後で、電源供給ラインを介してログ情報をアダプタ装置側に送信することができる。
【００１１】
上記第１の局面による電子機器において、好ましくは、電源供給ラインは、アダプタ装置側に送信されるログ情報の逆流を抑制するためのダイオードを含む。このように構成すれば、ログ情報の逆流を抑制するためのダイオードにより、ログ情報が電子機器側に逆流することに起因して電子機器が誤動作するのを抑制することができる。
【００１２】
上記第１の局面による電子機器において、好ましくは、アダプタ装置がコネクタ部に接続され、かつ、ユーザによりアダプタ装置に対して所定の操作が行われた場合に、電源供給ラインを介してログ情報を第２の通信方式に基づいてアダプタ装置側に送信するように構成されている。このように構成すれば、アダプタ装置に対して所定の操作を行うことにより、容易に、電子機器のログ情報を取得することができる。
【００１３】
上記第１の局面による電子機器において、好ましくは、第１の通信方式は、ＵＳＢ通信方式であるとともに、第２の通信方式は、ＵＡＲＴ通信方式である。このように構成すれば、ＵＳＢ通信方式に基づいて通信を行うためのコネクタ部を備える電子機器のログ情報をＵＡＲＴ通信方式に基づいて取得する際において、容易に、電子機器のログ情報を取得することができる。
【００１４】
この発明の第２の局面によるテレビジョン装置は、テレビジョン放送を表示可能な表示部と、外部装置を接続可能に構成され、接続された外部装置と第１の通信方式に基づいて通信を行うためのコネクタ部と、コネクタ部に接続された外部装置に電源を供給するための電源供給ラインとを備え、テレビジョン装置の動作記録を含むログ情報を取得するためのアダプタ装置が外部装置としてコネクタ部に接続された場合に、電源供給ラインを介してログ情報を第１の通信方式とは異なる第２の通信方式に基づいてアダプタ装置側に送信するように構成されている。
【００１５】
この発明の第２の局面によるテレビジョン装置では、上記のように、テレビジョン装置のログ情報を取得するためのアダプタ装置が外部装置としてコネクタ部に接続された場合に、電源供給ラインを介してログ情報を第１の通信方式とは異なる第２の通信方式に基づいてアダプタ装置側に送信するように構成する。これにより、ログ情報を送信するための専用の通信経路を別途設けることなく、電源供給ラインを介してログ情報を取得することが可能なテレビジョン装置を提供することができる。
【００１６】
この発明の第３の局面による電子機器のログ情報取得システムは、外部装置を接続可能に構成され、接続された外部装置と第１の通信方式に基づいて通信を行うためのコネクタ部と、コネクタ部に接続された外部装置に電源を供給するための電源供給ラインとを含む電子機器と、電子機器の動作記録を含むログ情報を取得するためのアダプタ装置とを備え、電子機器は、アダプタ装置が外部装置としてコネクタ部に接続された場合に、電源供給ラインを介してログ情報を第１の通信方式とは異なる第２の通信方式に基づいてアダプタ装置側に送信するように構成されている。
【００１７】
この発明の第３の局面による電子機器のログ情報取得システムでは、上記のように、電子機器を、電子機器のログ情報を取得するためのアダプタ装置が外部装置としてコネクタ部に接続された場合に、電源供給ラインを介してログ情報を第１の通信方式とは異なる第２の通信方式に基づいてアダプタ装置側に送信するように構成する。これにより、ログ情報を送信するための専用の通信経路を別途設けることなく、電源供給ラインを介してログ情報を取得することが可能な電子機器のログ情報取得システムを提供することができる。
【００１８】
上記第３の局面による電子機器のログ情報取得システムにおいて、好ましくは、電子機器は、アダプタ装置がコネクタ部に接続され、かつ、電源供給ラインが短絡された場合に、電源供給ラインを介してログ情報を第１の通信方式とは異なる第２の通信方式に基づいてアダプタ装置側に送信するように構成されており、アダプタ装置は、電子機器の電源供給ラインを短絡させるためのスイッチ部を含む。このように構成すれば、アダプタ装置のスイッチ部を操作することにより、容易に、電源供給ラインをログ情報取得のためのラインとして機能するように切り替えることができ、電子機器のログ情報を容易に取得することができる。
【図面の簡単な説明】
【００１９】
【図１】本発明の一実施形態によるテレビジョン装置のログ情報取得システムの全体構成を示した図である。
【図２】本発明の一実施形態によるテレビジョン装置とアダプタ装置とＰＣ（Ｐｅｒｓｏｎａｌ  Ｃｏｍｐｕｔｅｒ）の内部構成を示したブロック図である。
【図３】本発明の一実施形態によるテレビジョン装置のＵＳＢ（Ｕｎｉｖｅｒｓａｌ  Ｓｅｒｉａｌ  Ｂｕｓ）電源供給部の回路図である。
【発明を実施するための形態】
【００２０】
以下、本発明の実施形態を図面に基づいて説明する。
【００２１】
まず、図１〜図３を参照して、本発明の一実施形態によるテレビジョン装置１００のログ情報取得システム１の構成について説明する。ここで、ログ情報とは、テレビジョン装置１００の動作記録を含む種々の履歴を示す情報である。なお、テレビジョン装置１００は、本発明の「電子機器」の一例である。
【００２２】
本発明の一実施形態によるテレビジョン装置１００のログ情報取得システム１は、図１および図２に示すように、テレビジョン装置１００と、テレビジョン装置１００からログ情報を取得するためのアダプタ装置２００と、テレビジョン装置１００からアダプタ装置２００を介して取得されたログ情報を確認するためのＰＣ（Ｐｅｒｓｏｎａｌ  Ｃｏｍｐｕｔｅｒ）３００とを備えている。
【００２３】
テレビジョン装置１００およびアダプタ装置２００は、共に、ＵＳＢ（Ｕｎｉｖｅｒｓａｌ  Ｓｅｒｉａｌ  Ｂｕｓ）通信方式に対応する通信機能を有するように構成されている。具体的には、テレビジョン装置１００およびアダプタ装置２００は、それぞれ、ＵＳＢケーブル５１を介して互いに接続可能なＵＳＢコネクタ部１１およびＵＳＢコネクタ部２１を備えている。同様に、アダプタ装置２００およびＰＣ３００は、共に、ＵＳＢ通信方式に対応する通信機能を有するように構成されている。これらアダプタ装置２００およびＰＣ３００は、それぞれ、ＵＳＢケーブル５２を介して互いに接続可能なＵＳＢコネクタ部２２およびＵＳＢコネクタ部３１を備えている。なお、ＵＳＢコネクタ部１１は、本発明の「コネクタ部」の一例である。また、ＵＳＢ通信方式は、本発明の「第１の通信方式」の一例である。
【００２４】
ここで、ＵＳＢ規格では、ＵＳＢ通信方式に基づいて通信可能な２つの機器が互いに接続されている場合において、ホスト側の機器（本実施形態では、テレビジョン装置１００）は、クライアント側の機器（本実施形態では、アダプタ装置２００）に対して、データの送受信のみならず、電源（本実施形態では、５Ｖの電圧）の供給をも行うことが可能なように定められている。
【００２５】
図２に示すように、テレビジョン装置１００は、映像（テレビジョン放送）を表示するための表示部１０と、ＵＳＢコネクタ部１１と、テレビジョン装置１００の各部の制御を行うための制御部１２と、テレビジョン装置１００の各部に電源を供給するための電源１３と、ＵＳＢコネクタ部１１に接続された外部機器（ＵＳＢ通信方式に対応する通信機能を有する機器）とＵＳＢ通信方式に基づいて通信を行う際に、外部機器に対して電源（５Ｖの電圧）を供給するためのＵＳＢ電源供給部１４とを備えている。
【００２６】
制御部１２は、ＵＳＢコネクタ部１１に接続される外部機器（たとえば、アダプタ装置２００）とＵＳＢ通信方式に基づいてデータの送受信を行うための２本のデータ送受信線５０ａを介してＵＳＢコネクタ部１１に接続されている。また、制御部１２は、後述するイネーブル信号、停止信号およびＵＡＲＴ（Ｕｎｉｖｅｒｓａｌ  Ａｓｙｃｈｒｏｎｏｕｓ  Ｒｅｃｅｉｖｅｒ  Ｔｒａｎｓｍｉｔｔｅｒ）信号をそれぞれ伝達するための信号線５０ｂ、５０ｃおよび５０ｄを介してＵＳＢ電源供給部１４に接続されている。
【００２７】
ＵＳＢ電源供給部１４は、電源入力線５０ｅを介して電源１３に接続されているとともに、電源出力線５０ｆを介してＵＳＢコネクタ部１１に接続されている。このＵＳＢ電源供給部１４は、電源１３から電源入力線５０ｅを介して供給される電源（入力電圧）に基づいて、ＵＳＢコネクタ部１１に接続された外部機器（たとえば、アダプタ装置２００）に供給するための電源（出力電圧）を電源出力線５０ｆを介して出力することが可能なように構成されている。なお、電源出力線５０ｆは、本発明の「電源供給ライン」の一例である。
【００２８】
ここで、本実施形態では、後述するように、ＵＳＢ電源供給部１４は、テレビジョン装置１００のログ情報をＵＡＲＴ通信方式に基づくＵＡＲＴ信号として電源出力線５０ｆを介してアダプタ装置２００側に送信することが可能なように構成されている。なお、ＵＡＲＴ通信方式は、本発明の「第２の通信方式」の一例である。また、本実施形態では、ＵＳＢ電源供給部１４は、第１スイッチ回路部１５と、第２スイッチ回路部１６とを含むように構成されている。
【００２９】
本実施形態では、図３に示すように、第１スイッチ回路部１５は、５つの端子１５ａ、１５ｂ、１５ｃ、１５ｄおよび１５ｅを有するように構成されている。
【００３０】
端子１５ａは、電源１３から入力される入力電圧（５Ｖの電圧）を伝達するための電源入力線５０ｅに接続されている。この電源入力線５０ｅには、他方電極が接地されたコンデンサＣ１の一方電極が接続されている。また、電源入力線５０ｅは、信号線５０ｃに抵抗Ｒ１を介して接続されている。なお、端子１５ｂは、接地されている。
【００３１】
また、端子１５ｃは、第１スイッチ回路部１５を起動または停止させるためのイネーブル信号が伝達される信号線５０ｂに接続されている。このイネーブル信号は、テレビジョン装置１００のＵＳＢコネクタ部１１に外部機器（たとえば、アダプタ装置２００）が接続された場合にＨレベルになるとともに、Ｈレベルになることにより第１スイッチ回路部１５を起動させるように構成されている。なお、信号線５０ｂは、抵抗Ｒ２を介して接地されている。
【００３２】
また、端子１５ｄは、電源出力線５０ｆを介してＵＳＢコネクタ部１１に接続されている。この電源出力線５０ｆには、第２スイッチ回路部１６の後述するトランジスタ１６ｂのエミッタEから出力されるＵＡＲＴ信号が電源出力線５０ｆ上において逆流するのを抑制するためのダイオード１７が設けられている。
【００３３】
また、端子１５ｅは、端子１５ｃに入力されているイネーブル信号をＬレベルにすることを制御部１２に要求するための停止信号が伝達される信号線５０ｃに接続されている。この停止信号は、電源出力線５０ｆが短絡された場合に制御部１２に向けて出力されるように構成されている。
【００３４】
また、本実施形態では、第２スイッチ回路部１６は、２つのトランジスタ１６ａおよび１６ｂを含むように構成されている。
【００３５】
トランジスタ１６ａのベースＢは、信号線５０ｂに接続されている。これにより、トランジスタ１６ａは、イネーブル信号がＨレベルになっている場合にオン状態となるとともに、イネーブル信号がＬレベルになっている場合にオフ状態となるように構成されている。なお、トランジスタ１６ａのエミッタＥは、接地されている。また、トランジスタ１６ａのコレクタＣは、抵抗Ｒ３を介してトランジスタ１６ｂのベースＢに接続されているとともに、抵抗Ｒ３およびＲ４を介して電源入力線５０ｅに接続されている。
【００３６】
また、トランジスタ１６ｂのベースＢは、抵抗Ｒ３を介してトランジスタ１６ａのコレクタＣに接続されているとともに、抵抗Ｒ４を介して電源入力線５０ｅに接続されている。これにより、トランジスタ１６ｂは、トランジスタ１６ａがオフ状態となっている場合（イネーブル信号がＬレベルになっている場合）にオン状態となるとともに、トランジスタ１６ａがオン状態となっている場合（イネーブル信号がＨレベルになっている場合）にオフ状態となるように構成されている。なお、トランジスタ１６ｂのエミッタＥは、電源出力線５０ｆに接続されている。また、トランジスタ１６ｂのコレクタＣは、制御部１２から入力されるテレビジョン装置１００のログ情報（ＵＡＲＴ信号）を伝達するための信号線５０ｄに接続されている。
【００３７】
以上のような回路構成により、第１スイッチ回路部１５は、アダプタ装置２００のＵＳＢコネクタ部２１がＵＳＢケーブル５１を介してテレビジョン装置１００のＵＳＢコネクタ部１１に接続された場合に、電源出力線５０ｆを介してアダプタ装置２００に電源（５Ｖの出力電圧）を供給するように構成されている。また、第１スイッチ回路部１５は、アダプタ装置２００がＵＳＢケーブル５１を介してテレビジョン装置１００に接続され、かつ、電源出力線５０ｆが短絡された場合に、電源出力線５０ｆを介してアダプタ装置２００に電源を供給するのを停止するように構成されている。また、第２スイッチ回路部１６は、第１スイッチ回路部１５によりアダプタ装置２００への電源の供給が停止された場合に、電源出力線５０ｆを介してテレビジョン装置１００のログ情報をＵＡＲＴ通信方式に基づいてアダプタ装置２００側に送信するように構成されている。
【００３８】
なお、本実施形態では、アダプタ装置２００には、テレビジョン装置１００の電源出力線５０ｆを短絡させるためのスイッチ部２３が設けられている。これにより、ユーザは、スイッチ部２３をオンにする操作（図１に示す操作ボタン２０の押下操作）を行ってテレビジョン装置１００の電源出力線５０ｆを短絡させることにより、第１スイッチ回路部１５によるアダプタ装置２００への電源（５Ｖの出力電圧）の供給を停止させた後で、第２スイッチ回路部１６によるテレビジョン装置１００のログ情報（ＵＡＲＴ信号）の送信を開始させることができる。
【００３９】
次に、図１〜図３を参照して、本発明の一実施形態によるテレビジョン装置１００のログ情報を取得する手順およびログ情報取得時におけるテレビジョン装置１００の動作について説明する。
【００４０】
本発明の一実施形態によるテレビジョン装置１００のログ情報を取得するためには、まず、図１および図２に示すように、テレビジョン装置１００のＵＳＢコネクタ部１１とアダプタ装置２００のＵＳＢコネクタ部２１とをＵＳＢケーブル５１を介して接続するとともに、アダプタ装置２００のＵＳＢコネクタ部２２とＰＣ３００のＵＳＢコネクタ部３１とをＵＳＢケーブル５２を介して接続する。なお、この時、アダプタ装置２００には、テレビジョン装置１００の電源出力線５０ｆ、ＵＳＢケーブル５１およびアダプタ装置２００のＵＳＢコネクタ部２１を介して５Ｖの電源（テレビジョン装置１００のＵＳＢ電源供給部１４の第１スイッチ回路部１５（図３参照）から出力される５Ｖの出力電圧）が供給されている。また、この時、テレビジョン装置１００のＵＳＢ電源供給部１４に入力されるイネーブル信号はＨレベルになっている。
【００４１】
次に、テレビジョン装置１００に接続したアダプタ装置２００の操作ボタン２０（図１参照）を押下する。これにより、図３に示すように、アダプタ装置２００のスイッチ部２３がオンとなり、テレビジョン装置１００の電源出力線５０ｆが短絡する。その結果、停止信号が第１スイッチ回路部１５の端子１５ｅから制御部１２に向けて出力される。そして、停止信号が制御部１２に向けて出力されることにより、イネーブル信号がＬレベルになる。
【００４２】
そして、イネーブル信号がＬレベルになることにより、第１スイッチ回路部１５の動作が停止して、第１スイッチ回路部１５の端子１５ｄからの５Ｖの出力電圧の供給が停止される。また、イネーブル信号がＬレベルになることにより、第２スイッチ回路部１６のトランジスタ１６ａがオフ状態となる。その結果、トランジスタ１６ｂがオン状態となる。これにより、制御部１２からトランジスタ１６ｂのコレクタＣに対して入力されるＵＡＲＴ信号（テレビジョン装置１００のログ情報）がトランジスタ１６ｂのエミッタＥから出力される。その結果、テレビジョン装置１００のログ情報が電源出力線５０ｆを介してアダプタ装置２００側に送信される。
【００４３】
なお、図２に示すように、テレビジョン装置１００からアダプタ装置２００側に送信されたテレビジョン装置１００のログ情報は、アダプタ装置２００のＵＳＢコネクタ部２２、ＵＳＢケーブル５２およびＰＣ３００のＵＳＢコネクタ部３１を介してＰＣ３００側に伝達される。
【００４４】
以上のように、ユーザは、テレビジョン装置１００に接続したアダプタ装置２００の操作ボタン２０（図１参照）を押下してスイッチ部２３をオンにする操作を行うことにより、テレビジョン装置１００のログ情報を取得するとともに、取得したログ情報をアダプタ装置２００に接続したＰＣ３００を用いて確認することが可能である。
【００４５】
本実施形態では、上記のように、テレビジョン装置１００のログ情報を取得するためのアダプタ装置２００が外部装置としてＵＳＢコネクタ部１１に接続された場合に、電源出力線５０ｆを介してログ情報をＵＡＲＴ通信方式に基づいてアダプタ装置２００側に送信するようにテレビジョン装置１００を構成する。これにより、ログ情報を送信するための専用の通信経路を別途設けることなく、電源出力線５０ｆを介してログ情報を取得することができる。
【００４６】
また、本実施形態では、上記のように、アダプタ装置２００がＵＳＢコネクタ部１１に接続された場合に、電源出力線５０ｆを介してアダプタ装置２００に電源を供給するのを停止した後で、電源出力線５０ｆを介してログ情報をＵＡＲＴ通信方式に基づいてアダプタ装置２００側に送信するようにテレビジョン装置１００を構成する。これにより、電源の供給が停止された後の電源出力線５０ｆを介してログ情報を送信することができるので、電源出力線５０ｆ上において電源とログ情報とが競合するのを抑制することができる。
【００４７】
また、本実施形態では、上記のように、テレビジョン装置１００に、アダプタ装置２００がＵＳＢコネクタ部１１に接続された場合に、電源出力線５０ｆを介してアダプタ装置２００に電源を供給するのを停止するための第１スイッチ回路部１５と、第１スイッチ回路部１５により電源出力線５０ｆを介してアダプタ装置２００に電源を供給するのが停止された場合に、電源出力線５０ｆを介してログ情報をＵＡＲＴ通信方式に基づいてアダプタ装置２００側に送信するための第２スイッチ回路部１６とを設ける。これにより、第１スイッチ回路部１５と第２スイッチ回路部１６とによって、容易に、電源出力線５０ｆを介してアダプタ装置２００に電源を供給するのを停止した後で、電源出力線５０ｆを介してログ情報をアダプタ装置２００側に送信することができる。
【００４８】
また、本実施形態では、上記のように、電源出力線５０ｆに、アダプタ装置２００側に送信されるログ情報の逆流を抑制するためのダイオード１７を設ける。これにより、ログ情報の逆流を抑制するためのダイオード１７により、ログ情報がテレビジョン装置１００側に逆流することに起因してテレビジョン装置１００が誤動作するのを抑制することができる。
【００４９】
また、本実施形態では、上記のように、アダプタ装置２００がＵＳＢコネクタ部１１に接続され、かつ、ユーザによりアダプタ装置２００に対して所定の操作（操作ボタン２０を押下する操作）が行われた場合に、電源出力線５０ｆを介してログ情報をＵＡＲＴ通信方式に基づいてアダプタ装置２００側に送信するようにテレビジョン装置１００を構成する。これにより、アダプタ装置２００に対して所定の操作（操作ボタン２０を押下する操作）を行うことにより、容易に、テレビジョン装置１００のログ情報を取得することができる。
【００５０】
また、本実施形態では、上記のように、アダプタ装置２００がＵＳＢコネクタ部１１に接続され、かつ、電源出力線５０ｆが短絡された場合に、電源出力線５０ｆを介してログ情報をＵＡＲＴ通信方式に基づいてアダプタ装置２００側に送信するようにテレビジョン装置１００を構成し、アダプタ装置２００に、テレビジョン装置１００の電源出力線５０ｆを短絡させるためのスイッチ部２３を設ける。これにより、アダプタ装置２００のスイッチ部２３を操作することにより、容易に、電源出力線５０ｆをログ情報取得のためのラインとして機能するように切り替えることができ、テレビジョン装置１００のログ情報を容易に取得することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
たとえば、上記実施形態では、本発明を電子機器としてのテレビジョン装置に適用する例を示したが、本発明はこれに限らない。本発明は、ＢＤ（Ｂｌｕ−Ｒａｙ  Ｄｉｓｃ）プレーヤやＤＶＤ（Ｄｉｇｉｔａｌ  Ｖｅｒｓａｔｉｌｅ  Ｄｉｓｃ）プレーヤなどの他の電子機器にも適用可能である。
【００５３】
また、上記実施形態では、本発明の第１の通信方式がＵＳＢ通信方式であるとともに、第２の通信方式がＵＡＲＴ通信方式である例を示したが、本発明はこれに限らない。本発明では、第１の通信方式および第２の通信方式が互いに異なる通信方式であればよく、第１の通信方式および第２の通信方式がそれぞれＵＳＢ通信方式およびＵＡＲＴ通信方式以外の通信方式であってもよい。
【００５４】
また、上記実施形態では、アダプタ装置のスイッチ部を操作することにより、本発明の電子機器としてのテレビジョン装置の電源出力線（電源供給ライン）を短絡させる例を示したが、本発明はこれに限らない。本発明では、アダプタ装置に対してスイッチ部の操作以外の操作を行うことにより、電子機器の電源供給ラインを短絡させてもよい。
【００５５】
また、上記実施形態では、本発明の電源供給ラインとしての電源出力線が短絡された場合にログ情報をアダプタ装置側に送信するテレビジョン装置（電子機器）を示したが、本発明はこれに限らない。本発明では、電源出力線が短絡された場合以外の場合にログ情報をアダプタ装置側に送信する電子機器としてもよい。
【００５６】
また、上記実施形態では、本発明の電源供給ラインとしての電源出力線にダイオードが設けられている例を示したが、本発明はこれに限らない。本発明では、電源供給ラインにダイオードを設けなくてもよい。
【符号の説明】
【００５７】
１  ログ情報取得システム
１０  表示部
１１  ＵＳＢコネクタ部（コネクタ部）
１５  第１スイッチ回路部
１６  第２スイッチ回路部
１７  ダイオード
２３  スイッチ部
５０ｆ  電源出力線（電源供給ライン）
１００  テレビジョン装置（電子機器）
２００  アダプタ装置
【図１】
2012230590.tif 000003
【図２】
2012230590.tif 000004
【図３】
2012230590.tif 000005